(57)【要約】【課題】パチンコ遊技機等において良好は発光ディスプレイを行うとともに、遊技盤面に打ち込まれた釘によって発光パネルに短絡が生じることがないようにする。【解決手段】遊技機はディスプレイ用の発光パネルを有し、発光パネル２０は背面保護層２１ａ、背面電極２１ｂ、誘電体層２１ｃ、発光体層２１ｄ、及び透明電極２１ｅが積層されたＥＬ発光素子２１と、ディスプレイ層としても機能する装飾層２３が積層されたパネル基材２４とを有し、透明電極と装飾層２３とが単層のバインダー層２２を介して接合されている。この発光パネルに釘４２が配設される釘止孔４１を形成する際、釘止孔４１をレーザ光によって形成する。【選択図】図８
2008256789.tif 000002
【特許請求の範囲】
【請求項１】
前面パネルを備え該前面パネルにディスプレイ用の発光パネルが配設された遊技機において、
前記発光パネルが背面保護層、背面電極、誘電体層、発光体層、及び透明電極が積層されたＥＬ発光素子と、ディスプレイ層が積層されたパネル基材とを有し、
前記透明電極と前記ディスプレイ層とが単層のバインダー層を介して接合されていることを特徴とする遊技機。
【請求項２】
前記バインダー層は少なくとも絶縁性を有していることを特徴とする請求項１記載の遊技機。
【請求項３】
前面パネルを備え該前面パネルにディスプレイ用の発光パネルが配設された遊技機において、
前記発光パネルが背面保護層、背面電極、誘電体層、発光体層、及び透明電極が積層されたＥＬ発光素子と、パネル基材と、ディスプレイ層とを有し、
前記パネル基材と前記背面電極との間に介在する第１のバインダー層によって前記パネル基材と前記背面電極とが接合され、
前記透明電極と前記ディスプレイ層との間に介在する光透過性の第２のバインダー層によって前記透明電極と前記ディスプレイ層とが接合されていることを特徴とする遊技機。
【請求項４】
前記第１のバインダー層及び前記第２のバインダー層の少なくとも一方は絶縁性を有していることを特徴とする請求項３記載の遊技機。
【請求項５】
前記ディスプレイ層は複数層のインク層を有することを特徴とする請求項１〜４いずれか１項記載の遊技機。
【請求項６】
前記背面電極及び前記透明電極はスルーホール構造で外部電源と接続されるようにしたことを特徴とする請求項１〜５いずれか１項記載の遊技機。
【請求項７】
前記発光パネルには玉を誘導するための釘が配設される釘止孔が前記発光パネルの表面から下層に向かって形成されており、
前記釘止孔がレーザ光によって形成されていることを特徴とする請求項１〜６いずれか１項記載の遊技機。
【発明の詳細な説明】
【技術分野】
【０００１】
本発明は、スロットマシン又はパチンコ遊技機等の遊技機に関し、特に表示装置（ディスプレイ）として発光パネル（ＥＬ発光パネル）を用いた遊技機に関するものである。
【背景技術】
【０００２】
パチンコ遊技機等の遊技機においては、光の演出によって遊技領域を規定する遊技盤の装飾（電飾）を行っている。このような遊技機においては、エレクトロルミネセンス（ＥＬ）を薄いシート状としたＥＬシートを用いて遊技盤の電飾を行うものがあり、ＥＬシートは、ＥＬ素子に電圧を印加するだけで電界発光でき、しかも薄い、軽量、及び設置が容易で且つ安価であることに加えて、コンピュータ等によって点灯パターンを制御すれば、多彩な発光ディスプレイを行うことができる。
【０００３】
一般に、ＥＬシートは、背面保護層、背面電極層、誘電体層、発光体層、透明電極層、及び表面保護層が順次積層された積層体であり、上記の背面保護層及び表面保護層はそれぞれ絶縁性及びウォータバリア性を備え、背面電極層、誘電体層、発光体層、及び透明電極層を包囲している。
【０００４】
さらに、上述のＥＬシートの表面保護層に透明接着剤層を介して少なくとも一部分に光透過性を有する装飾シート（装飾層）を積層して発光パネルとしたものが知られている（例えば、特許文献１及び２参照）。
【特許文献１】特許第２７２３１７７号公報
【特許文献２】特許第２７９９９６６号公報
【発明の開示】
【発明が解決しようとする課題】
【０００５】
ところで、特許文献１及び２に記載の発光パネルにおいては、ＥＬシートの透明電極と装飾層との間に表面保護層及び透明接着剤層の２つの層が介在しているため、表面保護層及び透明接着剤層が光透過性を有しているとしても、この２層で光の乱反射が生じ易く、この結果、輝度が低下してしまう。
【０００６】
加えて、特許文献１及び２に記載の発光パネルにおいては、その材質特性から形状に撓み等の変形が生じ易く、遊技機等の被装飾品に取り付ける際その作業が面倒である。
【０００７】
つまり、特許文献１及び２に記載の発光パネルを遊技機の電飾用（発光ディスプレイ）として用いた際、光の乱反射が生じ易く、良好な発光ディスプレイを行うことが難しいという課題がある。
【０００８】
さらに、パチンコ遊戯機においては、パチンコ玉を誘導する多数の釘が遊技盤面に打ち付けられており、これらの釘は、不可避的に発光パネルを貫通して基板に釘止めされることになる。この結果、釘は２つの透明電極層に接触し、さらに背面電極層にも接触することになる。上記の釘には一般にその表面が絶縁されているものの、絶縁性が劣化等下場合には、釘を介して透明電極層が背面電極層に接触して短絡が発生してしまうという課題がある。
【０００９】
したがって、本発明の目的は、取り付け作業が容易でしかも良好は発光ディスプレイを行うことのできる遊技機を提供することにある。
【００１０】
本発明の他の目的は、遊技盤面に打ち込まれた釘によって発光パネルに短絡が生じることのない遊技機を提供することにある。
【課題を解決するための手段】
【００１１】
上記の課題を解決するため、（１）本発明は、前面パネルを備え該前面パネルにディスプレイ用の発光パネルが配設された遊技機において、前記発光パネルが背面保護層、背面電極、誘電体層、発光体層、及び透明電極が積層されたＥＬ発光素子と、ディスプレイ層が積層されたパネル基材とを有し、前記透明電極と前記ディスプレイ層とが単層のバインダー層を介して接合されていることを特徴とするものである。
【００１２】
本発明の遊技機は、（１）の発明において、前記バインダー層は少なくとも絶縁性を有していることを特徴とするものである。
【００１３】
また、（３）本発明は、前面パネルを備え該前面パネルにディスプレイ用の発光パネルが配設された遊技機において、前記発光パネルが背面保護層、背面電極、誘電体層、発光体層、及び透明電極が積層されたＥＬ発光素子と、パネル基材と、ディスプレイ層とを有し、前記パネル基材と前記背面電極との間に介在する第１のバインダー層によって前記パネル基材と前記背面電極とが接合され、前記透明電極と前記ディスプレイ層との間に介在する光透過性の第２のバインダー層によって前記透明電極と前記ディスプレイ層とが接合されていることを特徴とするものである。
【００１４】
（４）本発明の遊技機は、（３）の発明において、前記第１のバインダー層及び前記第２のバインダー層の少なくとも一方は絶縁性を有していることを特徴とするものである。
【００１５】
（５）本発明の遊技機は、（１）〜（４）のいずれかの発明において、前記ディスプレイ層は複数層のインク層を有することを特徴とするものである。
【００１６】
（６）本発明の遊技機は、（１）〜（５）のいずれかの発明において、前記背面電極及び前記透明電極はスルーホール構造で外部電源と接続されるようにしたことを特徴とするものである。
【００１７】
（７）本発明の遊技機は、（１）〜（６）の発明において、前記発光パネルには玉を誘導するための釘が配設される釘止孔が前記発光パネルの表面から下層に向かって形成され、前記釘止孔がレーザ光によって形成されていることを特徴とするものである。
【発明の効果】
【００１８】
以上のように、本発明では、発光パネルが背面保護層、背面電極、誘電体層、発光体層、及び透明電極が積層されたＥＬ発光素子と、ディスプレイ層が積層されたパネル基材とを有し、透明電極とディスプレイ層とが単層のバインダー層を介して接合されているか、又は発光パネルが背面保護層、背面電極、誘電体層、発光体層、及び透明電極が積層されたＥＬ発光素子と、パネル基材と、ディスプレイ層とを有し、パネル基材と背面電極との間に介在する第１のバインダー層によってパネル基材と背面電極とを接合し、透明電極とディスプレイ層との間に介在する光透過性の第２のバインダー層によって透明電極とディスプレイ層とを接合するようにしたので、発光パネルを遊技機の前面パネルに取り付けることが容易であるばかりでなく、乱反射を防止して良好は発光ディスプレイを行うことができるという効果がある。
【００１９】
また、本発明では、スルーホール構造を用いて背面電極と透明電極とを外部電源に接続するようにしたので、極めて容易にＥＬ発光素子を外部電極と接続できるという効果がある。
【００２０】
本発明では、釘が配設される釘止孔を発光パネルに形成する際、レーザ光によって釘止孔を形成するようにしたので、釘止孔の内壁面がレーザ光によって溶融した絶縁物等でコートされることになって、釘止孔に釘を配設した際、背面電極と透明電極との間で短絡が生じることがないという効果があり、しかもレーザ光によって釘止孔を形成しているので、釘止孔の形成が容易であるという効果がある。
【発明を実施するための最良の形態】
【００２１】
以下本発明の実施の形態による遊技機について図面を参照して説明する。図１はパチンコ遊技機の遊技盤の一例を示す図である。パチンコ遊技機の外装枠１１の前面に前面パネル１２が嵌め込まれており、前面パネル１２には、後述するＥＬ発光パネルが配設される。前面パネル１２にはガラス又はアクリル樹脂等の透明基材が用いられる。そして、前面パネル１２において、ＥＬ発光パネルを配置する位置に透光部１２ａが配設されている。そして、前面パネル１２の透光部１２ａ以外の部分には、液晶パネルのような各種装飾品１２ｂ等が配設されている。したがって、前面パネル１２は、ほぼ、ＥＬ発光パネルと液晶パネルとによって構成されているので、前面パネル１２を備えたパチンコ遊技機は、従来にない、迫力ある演出をすることができる。また、前面パネル１２には、後述する複数の釘４２や風車が設けられている。
【００２２】
ここで、図２を参照すると、図２（ａ）はＥＬ発光パネル２０の一例を分解した状態で示す斜視図であり、図２（ｂ）はＥＬ発光パネル２０の一例を積層状態で示す図である。ＥＬ発光パネル２０は、ＥＬ発光素子２１、バインダー層２２、ディスプレイ層としても機能する装飾層２３、及びパネル基材２４を順次積層して一体化した構造を有している。ＥＬ発光素子２１は、例えば、印刷によって、背面保護層２１ａ、背面電極２１ｂ、誘電体層２１ｃ、発光体層２１ｄ、及び透明電極２１ｅが順次積層された構造を有している。
【００２３】
背面保護層２１ａは、例えば、メジウムからなり、背面電極２１ｂは、例えば、カーボン及び樹脂バインダーのインクからなる。さらに、誘電体層２１ｃは、例えば、チタン酸バリウム及びフッ素樹脂バインダーのインクからなり、発光体層２１ｄは、例えば、硫化亜鉛、銅、及びフッ素樹脂バインダーのインクからなる。また、透明電極２１ｅは、例えば、酸化インジウム−スズ（ＩＴＯ）からなる。
【００２４】
図示のように、背面保護層２１ａには、背面保護層２１ａの外側面に背面電極２１ｂ及び透明電極２１ｅを開放させるための２つのスルーホール２１ｆ及び２１ｇが形成されている。また、背面電極２１ｂ、誘電体層２１ｃ、及び発光体層２１ｄには、背面保護層２１ａの外側面に透明電極２１ｅを露出させるためのスルーホール２１ｇが形成されている。
【００２５】
一方、バインダー層２２は、ＥＬ発光素子２１の透明電極２１ｅと装飾層２３（インク層２３ｃ）との双方に接着力を発揮する接着性を備えるととともに、ＥＬ発光素子２１の発光体層２１ｄで発光した光を透過する光透過性を備えている。この接着性は、主に、透明電極２１ｅと装飾層２３との双方にレベリング性（平坦性）による密着によって接着力を発揮する。
【００２６】
なお、図示の例では、ＥＬ発光素子２１は表面保護層を備えていないため、バインダー層２２は必要に応じて絶縁性及びウォータバリア性を備えることが望ましい。ウォータバリア性は、ＥＬ発光素子２１の発光体層２１ｄ中の硫化亜鉛の劣化を防止するために必要である。
【００２７】
装飾層２３は、パネル基材２４をベースとして印刷又は箔押等によって単層のアルミニウム等の金属箔層２３ａの両面にそれぞれインク層２３ｂ及び２３ｃを積層したものである。この装飾層２３は、金属箔層２３ａによって光透過及び光遮断（光非透過）を選択的に組み合わせて、２層のインク層２３ｂ及び２３ｃに多色化等の装飾を施して、高度の装飾性（意匠性）を有するようにしている。
【００２８】
なお、パネル基材２４は、形状を保護して変形を防止するために用いられ、アクリル又はポリカーボネード等のシート又は板から成形されている。また、図２に示すＥＬ発光パネル２０を作成する際には、パネル基材２４に積層された装飾層２３上に印刷等によってバインダー層２２を積層し、別に作成したＥＬ発光素子２１を、透明電極２１ｅをバインダー層２２に接合して積層する。
【００２９】
一般に、製品として出荷する際には、ＥＬ発光素子２１の背面保護層２１ａの外側面に接着貼層２５が積層され、必要に応じて、さらに剥離シート（図示せず）が積層される。接着貼層２５についても、ＥＬ発光素子２１のスルーホール２１ｆ及び２１ｇに対応したスルーホール２５ａ及び２５ｂが形成される。
【００３０】
このように、図２に示すＥＬ発光パネル２０においては、ＥＬ発光素子２１の透明電極２１ｅと装飾層２３との間に単層のバインダー層２２が介在しているだけであるので、光の乱反射が防止され、輝度を向上できることになる。
【００３１】
ここで、図３を参照すると、図３（ａ）は被装飾品３０に上述のＥＬ発光パネル２０を取り付ける前の状態を示す斜視図であり、図３（ｂ）は被装飾品３０にＥＬ発光パネル２０を取り付けた後の状態を示す斜視図である。図示の例では、被装飾品３０は電源（外部電源）３１と接続されるインバータ３２を有し、被装飾品３０の取り付け面には、インバータ３２に接続される一対の電極３３が形成されている。
【００３２】
被装飾品３０にＥＬ発光パネル２０を取り付ける際には、ＥＬ発光パネル２０から剥離シートを剥がし、接着貼層２５を露出させる。そして、接着貼層２５によって被装飾品３０の取り付け面にＥＬ発光パネル２０を貼り付けることにより取り付ける。この際、電極３３とスルーホール２５ａ及び２５ｂが接続されることになる。
【００３３】
このようにスルーホール構造を用いたから、極めて容易にＥＬ発光素子２１（つまり、背面電極２１ｂ及び透明電極２１ｅ）を電源３１に接続することができる。
【００３４】
前述のように、ＥＬ発光パネル２０はパネル基材２４を有しているから、取り付けに当たってＥＬ発光パネル２０の全体形状が保たれることになり、ＥＬ発光パネル２０の形状に撓み等が生じることがなく、取り付け作業を容易に行うことができる。なお、図４に示すように、被装飾品３０の取り付け面を溝形に成形し、取り付け面をＥＬ発光パネル２０に嵌め込むようにしてもよい。
【００３５】
続いて、図５を参照して、本発明の実施の形態によるパチンコ遊技機で用いられるＥＬ発光パネルの他の例について説明する。なお、図５において、図２に示すＥＬ発光パネル２０と同一の構成要素については同一の参照番号を付し、説明を省略する。図示の例では、ＥＬ発光素子２１は背面保護層２１ａを備えておらず、一方、バインダー層２２の代わりに第１及び第２のバインダー層２２ａ及び２２ｂを有している。
【００３６】
第２のバインダー層２２ｂは、図２で説明したバインダー層２２と同一の層であり、ＥＬ発光素子２１の透明電極２１ｅと装飾層２３との間に介在し、透明電極２１ｅと装飾層２３とを接合している。但し、装飾層２３は、パネル基材２４に積層されておらず、その外側面がオーバーコート層２９で保護されている。
【００３７】
第１のバインダー層２２ａは、ＥＬ発光素子２１の背面電極２１ｂとパネル基材２４との間に介在し、背面電極２１ｂとパネル基材２４との双方に接着力を発揮する接着性を有している。そして、第１のバインダー層２２ａはＥＬ発光素子２１の発光体層２１ｄで発光した光を透過する光透過性を有する必要がない。なお、第１のバインダー層２２ａについても、ＥＬ発光素子２１が背面保護層２１ａを有していない関係上、必要に応じて絶縁性及びウォータバリア性を有する。また、第１のバインダー層２２ａの外側面には、背面電極２１ｂを露出させるためのスルーホール２２ｃ及び透明電極２１ｅを露出させるためのスルーホール２２ｄが形成されている。
【００３８】
パネル基材２４の外側面には、背面電極２１ｂ及び透明電極２１ｅを開放させるための２つのスルーホール２４ａ及び２４ｂが形成されている。
【００３９】
図５に示すＥＬ発光パネル２０を作成する際には、その外側面にオーバーコート層２９が積層された装飾層２３の内側面に、例えば、印刷によって第２のバインダー層２２ｂを積層し、別に作成したＥＬ発光素子２１を、透明電極２１ｅを第２のバインダー層２２ｂに接合して積層する。続いて、パネル基材２４に印刷等によって第１のバインダー層２２ａを積層して、ＥＬ発光素子２１を、背面電極２１ｂを第１のバインダー層２２ａに接合して積層する。
【００４０】
この結果、パネル基材２４は、被装飾品の表面への取り付けの際、最内装に配置されることになる。
【００４１】
一般に、製品として出荷する際には、パネル基材２４の外側面に接着貼層２５が積層され、必要に応じて、さらに剥離シート（図示せず）が積層される。そして、接着貼層２５にはスルーホール２５ａ及び２５ｂが形成されている。
【００４２】
図６に示すように、被装飾品３０にＥＬ発光パネル２０を取り付ける際には、ＥＬ発光パネル２０から剥離シートを剥がし、接着貼層２５を露出させる。そして、接着貼層２５によって被装飾品３０の取り付け面にＥＬ発光パネル２０を貼り付ける（取り付ける）。この際、電極３３とスルーホール２５ａ及び２５ｂが接続されることになる。
【００４３】
なお、図５で説明したＥＬ発光パネル２０についても、被装飾品３０の取り付け面を溝形に成形し、取り付け面をＥＬ発光パネル２０に嵌め込むようにしてもよい。また、図２及び図５で説明したＥＬ発光パネル２０ともに、パネル基材２４が僅かに湾曲するか又は凸凹構造を有するようにしてもよい。
【００４４】
ところで、上述したＥＬ発光パネル２０をパチンコ遊技機の前面パネルに用いた際には、前面パネルには釘が装着される関係上、不可避的にＥＬ発光パネル２０にも釘が打たれることになる。例えば、ＥＬ発光パネル２０の所定の位置に釘止孔が形成され、この釘止め孔に釘は配設されることになる（打たれることになる）。
【００４５】
ところが、ＥＬ発光パネル２０は背面電極２１ｂ及び透明電極２１ｅを有しているため、釘止め孔に釘を挿入すると、場合によって釘によって背面電極２１ｂと透明電極２１ｅとが短絡してしまうことがある。また、釘の表面を絶縁したとしても、絶縁性が劣化した際には、釘を介して透明電極２１ｅが背面電極２１ｂに接触して短絡が発生してしまう。
【００４６】
このような短絡を確実に防止するため、ここでは、釘止孔を形成する際、レーザ光を用いて釘止孔を形成するようにした。図７を参照すると、図７は図２で説明したＥＬ発光パネル２０の断面を示す図である（なお、図５で説明したＥＬ発光パネル２０についても同様に適用できる）。図示のように、ＥＬ発光パネル２０はその外側面（表面）からレーザ光が照射される。レーザ光の径は略釘止孔の直径に等しい。
【００４７】
ＥＬ発光パネル２０上の釘止孔４１を形成する位置は予め規定されており、レーザ光の照射によって、ＥＬ発光パネル２０上に釘止孔４１を形成する。レーザ光によって釘止孔４１を形成すると、背面電極２１ｂ及び透明電極２１ｅに孔が開くことになるが、背面電極２１ｂ及び透明電極２１ｅ以外の他の層にも孔が開けられることになる。
【００４８】
この際、レーザ光によって溶けた物質（材料：絶縁物等）が釘止孔４１の内壁面に付着することになる。つまり、釘止孔４１の内壁面はあたかも絶縁物等でコートされた状態となる（コート層４３が形成されることになる）。なお、この例においては、パネル基材２４が表面となり、パネル基材２４側から釘止孔４１が形成されることになる（一方、図５に示すＥＬ発光パネル２０を用いた際には、オーバーコート層２９を表面としてオーバーコート層２９側から釘止孔４１が形成されることになる）。
【００４９】
このようにして、レーザ光によって釘止孔４１をＥＬ発光パネル２０に形成すると、釘止孔４１の内壁面が絶縁物でコートされることになり、図８に示すように、釘止孔４１に釘４２を打った際、たとえ、釘４２の絶縁が劣化したとしても、背面電極２１ｂと透明電極２１ｅとの間に短絡が生じることがない。さらに、釘４２に絶縁が施されていなくても、確実に背面電極２１ｂと透明電極２１ｅとの間の短絡を防止することができる（図７及び図８においては、接着貼層２５及び被装飾品３０は省略されている）。なお、釘４２の先端は図示しない基板に保持されることになる。
【００５０】
なお、上述の例では、パチンコ遊技機の釘止孔をレーザ光で形成する例について説明したが、パチンコ遊技機に限らず、ＥＬ発光パネルをディスプレイ用パネルとして用いて、このＥＬ発光パネルに玉を誘導する釘を配設する遊技機であれば、同様にして適用することができる。
【図面の簡単な説明】
【００５１】
【図１】本発明の実施の形態によるパチンコ遊技機の遊技盤の一例を示す図である。
【図２】図１に示すパチンコ遊技機で用いられるＥＬ発光パネルの一例を説明するための図であり、（ａ）は分解して示す斜視図、（ｂ）は積層された状態で示す斜視図である。
【図３】図２で説明したＥＬ発光パネルの被装飾品の取り付けを説明するための図であり、（ａ）は取り付け前の状態で示す斜視図、（ｂ）は取り付け後の状態で示す斜視図である。
【図４】図３の取り付け構造の変形例を一部破断した示す斜視図である。
【図５】図１に示すパチンコ遊技機で用いられるＥＬ発光パネルの他の例を説明するための図であり、（ａ）は分解して示す斜視図、（ｂ）は積層された状態で示す斜視図である。
【図６】図５で説明したＥＬ発光パネルの被装飾品の取り付けを説明するための図であり、（ａ）は取り付け前の状態で示す斜視図、（ｂ）は取り付け後の状態で示す斜視図である。
【図７】パチンコ遊技機に用いるＥＬ発光パネルに釘止孔を形成した状態を示す断面図である。
【図８】図７に示す釘止孔に釘を配設した状態を示す断面図である。
【符号の説明】
【００５２】
１１  外装枠
１２  前面パネル
１２ａ  透光部
１２ｂ  各種装飾品
２０  ＥＬ発光パネル
２１  ＥＬ発光素子
２１ａ  背面保護層
２１ｂ  背面電極
２１ｃ  誘電体層
２１ｄ  発光体層
２１ｅ  透明電極
２２  バインダー層
２３  装飾層（ディスプレイ層）
２４  パネル基材
４１  釘止孔
４２  釘
４３  コート層
【図１】
2008256789.tif 000003
【図２】
2008256789.tif 000004
【図３】
2008256789.tif 000005
【図４】
2008256789.tif 000006
【図５】
2008256789.tif 000007
【図６】
2008256789.tif 000008
【図７】
2008256789.tif 000009
【図８】
2008256789.tif 000010